(57)【特許請求の範囲】
【請求項１】
画像の画素に対応して複数の発光素子であるプラズマセルを含み、
ビデオフレーム又はビデオフィールドの時間間隔は複数のサブフィールドに分割され、
サブフィールド中に、発光素子が輝度制御のため使用されるサブフィールド符号語に対応したパルスにおける発光のため活性化され、
サブフィールド期間は、アドレッシング期間、点灯期間及び消去期間に分けられている、
ディスプレイ装置において、表示用のビデオ画像を処理する方法であって、
特定のサブフィールド構造がサブフィールド符号化のため使用され、サイズの順に並べられたサブフィールドの重みが、所与のサブフィールドの重みが先行する２個のサブフィールドの重みの合計を超えることがない、という規則に従って増加する構造であり、
サブフィールド符号化処理は、
リフレッシュ・サブフィールド符号化を実行するために、零以外のあらゆる入力ビデオレベルに対し、２個の活性化されたサブフィールドの間で活性化されていないサブフィールドが発生するが、２個の活性化されたサブフィールドの間で２個以上連続した活性化されていないサブフィールドが無いようなサブフィールド符号語が選択される規則を満たし、
セルフプライミング・サブフィールドとリフレッシュ・サブフィールドの少なくとも２種類のタイプのサブフィールドがフレーム期間内に使用され、
セルフプライミング・サブフィールド及びリフレッシュ・サブフィールドは、アドレッシング期間、点灯期間、及び消去期間を有し、
セルフプライミング・サブフィールドは、更に：
セルフプライミング・サブフィールドのアドレッシング期間がリフレッシュ・サブフィールドのアドレッシング期間よりも長いという特性、及び、
アドレッシング期間中に、セルを予備励起するため、リフレッシュ・サブフィールドに比較して増加した書込み電圧が発光素子に印加される特性、
のうちの少なくとも一方の特性を備えており、
少なくとも１個のセルフプライミング・サブフィールドがフレーム期間内で、最初のリフレッシュ・サブフィールドよりも前に配置されている、
ことを特徴とする方法。
【請求項２】
特定のサブフィールド構造がサブフィールド符号化に使用され、
サブフィールド符号化処理は、
零以外のあらゆる入力ビデオレベルに対して、少なくとも１個のセルフプライミング・サブフィールドが活性化されるサブフィールド符号語が選択されるという規則を満たす、請求項１記載の方法。
【請求項３】
フレーム期間中のプラズマセルの最長活性化期間の時間間隔が相対時間単位で２５６として表わされるとき、フレーム期間が１２個のサブフィールドに分割され、
１２個のサブフィールドの時間間隔が、順番に、相対時間単位で１、２、３、５、８、１２、１７、２３、３０、３９、５０及び６５として表わされる、
サブフィールド構造が使用される、請求項１又は２記載の方法。
【請求項４】
セルフプライミング・サブフィールドは、
プラズマセルがアドレッシング期間内に連続して２回に亘ってアドレッシングされる特性、及び、
ソフトプライミング期間がセルフプライミング・サブフィールドよりも先行し、ソフトプライミング期間中に、全プラズマセルが残りのサブフィールド期間よりも高い電圧で並行して書き込まれる特性、
のうちの少なくとも一方の特性を更に備えている、請求項１乃至３のうちいずれか一項記載の方法。
【請求項５】
プラズマセルは、アドレッシング期間中に、行単位で、
１回目のアドレッシングとして、
１  ２  ３  ４  ．．．  ４７９  ４８０  
の書込み順にアドレッシングされ、
２回目のアドレッシングとして、
１ ２ ３  ．．．  ４８０
の書込み順にアドレッシングされる、
請求項１乃至４のうちいずれか一項記載の方法。
【請求項６】
プラズマセルは、アドレッシング期間中の同じ行への２回目のアドレッシングを下線付きで表現した場合に、行単位で、
１     ２  １  ３  ２  ４  ３  ５  ４  ６  ５  ７  ６  ８  ７  ．．．以下同様に続く順番と、
１     ２     ３  １  ４  ２  ５  ３  ６  ４  ７  ５  ８  ６  ．．．以下同様に続く順番と、
のうちのいずれか一方の順番にアドレッシングされる、
請求項１乃至３のうちいずれか一項記載の方法。
【請求項７】
画素のサブフィールドは第１グループと第２グループの２組の連続したグループに分けられ、
両方のグループ内のサブフィールド構造は、できるだけ一致するように編成され、
２組のグループの間には所定の間隔のタイムアウト期間が設けられている、
請求項１乃至６のうちいずれか一項記載の方法。
【請求項８】
各グループ内で、１個以上のサブフィールドはセルフプライミング・サブフィールドであり、残りのサブフィールドはリフレッシュ・サブフィールドである、請求項７記載の方法。
【請求項９】
各グループ内で、サブフィールド期間よりも先行してソフトプライミング期間がセルを予備励起するため使用される、請求項７又は８記載の方法。
【請求項１０】
フレーム期間中のプラズマセルの最長活性化期間の時間間隔が相対時間単位で２５６として表わされるとき、フレーム期間が１４個のサブフィールドに分割され、
第１グループに分けられた７個のサブフィールドの時間間隔が、順番に、相対時間単位で１、４、８、１２、２０、３２及び５２として表わされ、
第２グループに分けられた７個のサブフィールドの時間間隔が、順番に、相対時間単位で２、４、８、１６、２０、３２及び４８として表わされ、
第１グループ及び第２グループの各グループにおいて、最初の３個のサブフィールドはセルフプライミング・サブフィールドであり、残りのサブフィールドはリフレッシュ・サブフィールドである、
サブフィールド構造が使用される、請求項７乃至９のうちいずれか一項記載の方法。
【発明の詳細な説明】
【０００１】  本発明は、ディスプレイ装置に表示するビデオ画像を処理する方法に係る。
【０００２】  本発明は、特に、プラズマディスプレイパネル（ＰＤＰ）のようなマトリクス型ディスプレイ、又は、画素値がディスプレイ上の対応した数の小さいパルスの発生を制御するその他のディスプレイ装置に表示される画像の画質を改良するタイプのビデオ処理に密接に関連している。
【０００３】  〔背景〕
プラズマ技術は、（ＣＲＴの限界を超えた）大型であり、かつ、視角を制限することなく厚さが非常に抑えられたフラットカラーパネルを実現することが可能である。旧世代の欧州ＴＶの場合、画質を改良するため多数の研究がなされた。その結果として、プラズマ技術のような新技術は、標準ＴＶ技術と同等若しくはそれ以上に優れた画質を提供しなければならない。一方で、プラズマ技術は、画面サイズが制限されない可能性、薄型にすることができる可能性などを与えるが、他方で、画質を低下させる新たなタイプのアーティファクトを発生させる。
【０００４】  殆どのアーティファクトはＣＲＴ型ＴＶの場合のアーティファクトとは異なり、消費者は旧型ＴＶのアーティファクトを見ても気付かないことに慣れているので、このような新しいタイプのアーティファクトは非常に目立つ。
【０００５】  プラズマディスプレイパネル（ＰＤＰ）は、オン若しくはオフの状態だけをとり得る放電セルのマトリクスアレイを利用する。また、階調（グレイレベル）が発光のアナログ制御によって表現されるＣＲＴ又はＬＣＤとは違って、ＰＤＰは、１フレームあたりの光パルス（維持パルス）の個数を変化させることによって、階調を制御する。この時間変調は、視覚時間応答に対応した期間に亘って視覚によって積分される。
【０００６】  良好な画質を得るためには、コントラストは決定的に重要である。プラズマディスプレイパネル（ＰＤＰ）では、コントラスト値は、ＣＲＴの場合に得られるコントラスト値よりも劣る。その理由として以下の２点を挙げることができる。
【０００７】  理由１：ＰＤＰの場合、プラズマセルを予備励起するプライミング処理は、セルにサブフィールドにおける一様な発光の準備をさせるために必要である。このプライミング処理は、パネルバックグラウンド光が生成される、という悪影響がある。
【０００８】  理由２：ＰＤＰにおけるアドレッシングには長時間を要するため、達成可能な光出力のレベルが減少する。
【０００９】  〔発明の概要〕
コントラスト低下の欠点を解決するため、本発明は、セルフプライミング・サブフィールドとリフレッシュ・サブフィールドを用いてＰＤＰのコントラストを増加させる技術を報告する。
【００１０】  セルフプライミング・サブフィールド（ＳＰＳＦ）は、プライミングの必要性を削減若しくは除去するので、暗い領域を更に暗くさせ、一方、リフレッシュ・サブフィールド（ＲＳＦ）は、高速にアドレス指定され得る。実際、フレーム期間内のリフレッシュ・サブフィールド（ＲＳＦ）の数は、セルフプライミング・サブフィールド（ＳＰＳＦ）の数よりも多い。したがって、総アドレッシング時間は、この新しい技術によって削減され得る。
【００１１】  高速アドレッシングは、維持パルスのためにより多くの時間を残すので、明るい領域をより明るくさせることが可能である。これは、特に、７５Ｈｚのマルチメディアソースに接続されたＰＤＰモニターの場合に顕著な効果がある。なぜならば、許容可能な数のサブフィールドを得るために、画像パワーは、通常７５Ｈｚソースに制限されるからである。画像パワーがパワー・エレクトロニクスにより制限される５０Ｈｚ及び６０Ｈｚモードの場合には、代替的に、短縮したアドレッシング時間がサブフィールドの個数を増加させるために使用され、画質を向上させる。ＰＤＰで生じる偽輪郭効果は、フレーム期間中のサブフィールド数が増加するならば、低減され得る。従来の解決法は、常に、１種類のサブフィールドアドレッシング（均一なアドレッシング方式）を使用し、セルフプライミング・サブフィールドとリフレッシュ・サブフィールドには分けられない（不均一なアドレッシング方式）。
【００１２】  均一なアドレッシング方式の場合、一般的に、プライミングパルスが使用される。１フレーム期間当たりに１回だけ使用されるハードプライミングパルス（非常に長い増加傾斜を伴い、多くのバックグラウンド光を生ずる方形パルス）と、１サブフィールド毎に使用されるソフトプライミングパルス（増加傾斜が短く、バックグラウンド光を少ししか生じない三角形パルス）の、２種類のプライミングパルスが区別され得る。ハードプライミングは、より多くのバックグラウンド輝度を作成し、達成可能なコントラスト回数を減少させる。ソフトプライミングは、１パルス当たりに作成するバックグラウンド輝度が少ないが、ソフトプライミングは、通常、１フレーム当たりについてより多くのパルスを作成するので、全体的な結果は一層悪化する。画質は何れのモードでも低下する。
【００１３】  本発明で提案される不均一なアドレッシング方式は、プライミングの必要性を低減し、かつ、同時に、要求総アドレッシング時間を短縮する。コントラスト及び画質が改善される。プライミングの減少は、バックグラウンド光の減少を意味し、暗い領域はより暗くなり、このようにして、達成されるコントラスト値が増加する。
【００１４】  プラズマ技術は、セルに予備励起が巧く書き込まれることを要求する。高エネルギーの長い書込みパルスを全てのセルに送ることにより、この励起が実現される。この書込みパルスは上述のプライミングパルスである。このようなタイプの書込みパルスは、小さい電気放電に対応し、バックグラウンド輝度を生じ、このバックグラウンド輝度がコントラストを低下させる。なぜならば、従来のプライミングは黒であるべきセルを含む全てのセルに適用されるからである。
【００１５】  上述の通り、本発明の考え方は、セルフプライミング・サブフィールドとリフレッシュ・サブフィールドの用法に関する。セルフプライミング・サブフィールドは、好ましくは、フレーム期間の始まりに設けられる。セルフプライミング・サブフィールドは、要求された予備励起のための電荷をそれ自体で発生させるので、専用外部プライミングパルスが不要になる。また、バックグラウンド輝度の問題は生じない。なぜならば、セルフプライミング・サブフィールドでの書込みパルスは、黒であるべきセルには適用されず、輝度が要求される非零画素値に対応したセルだけに適用されるからである。セルフプライミング・サブフィールドは、通常のサブフィールドよりも書込みのために長い時間を要するので、セルフプライミング・サブフィールドの個数は少数に抑えるべきであり、たとえば、フレーム期間内に１個以上のセルフプライミング・サブフィールドが存在すれば十分であり、その個数を増加させることは、益々、非実用的である。
【００１６】
本発明の一つの更なる局面は、修正サブフィールド符号化処理を適用することである。その結果として、零以外の全ての入力ビデオレベルで、少なくとも１個のセルフプライミング・サブフィールドが作動（活性化）され、すなわち、このセルフプライミング・サブフィールドの対応した点灯期間がスイッチオンされることになる。
【００１７】  黒であるべきセルの場合、サブフィールドは有効にされない。すなわち、セルは予備放電されない。その結果、セルは、必要に応じたバックグラウンド輝度を表示しない。他の全てのセルに対し、少なくとも１個のセルフプライミング・サブフィールドが有効にされ、対応した書込みパルスが生成され、このようにして、要求されたセルのプライミングが実現される。有効なセル書込み／プライミング後に生じる後続のサブフィールドは、セル励起の状態をリフレッシュさせる付加的な機能を備える。
【００１８】  セル書込みパルス間の間隔が長くなると、リフレッシュのための書込みパルスを長くしなければならない、という規則がある。したがって、本発明の一局面によれば、書込みパルス間の間隔が最小限に抑えられるように最適化されたリフレッシュ用サブフィールド符号化処理を使用する。本発明による解決法によれば、セル書込み反復間隔は、１サブフィールドのオフの最大値まで最小化される。
【００１９】  本発明の更なる一局面は、セルフプライミング・サブフィールドとリフレッシュ・サブフィールドの考え方が、プラズマディスプレイを５０Ｈｚフレーム反復モードで動作させるときの、特定のサブフィールド構造、及び、ラージエリア・フリッカー効果を減少させるサブフィールド符号化処理と組み合わされる方法である。対応した発明は、請求項８乃至１２に記載されている。
【００２０】  本発明の典型的な実施例は、添付図面に例示され、以下で詳細に説明される。
【００２１】  上述の通り、本発明は、ＰＤＰ制御のためセルフプライミング・サブフィールド及びリフレッシュ・サブフィールドを使用する新しい考え方を適用する。
【００２２】  以下では、本発明の考え方を詳細に説明する。
【００２３】  最初に、用語サブフィールドを定義する。サブフィールドとは、以下の（１）から（３）がセルで順番に行われる時間期間を表わす。
【００２４】  （１）セルが高電圧で励起状態へ移されるか、又は、低電圧で中立状態へ移される書込み／アドレッシング期間が存在する。
【００２５】  （２）対応した短いライティングパルスを生ずる短い電圧パルスを用いてガス放電が行われる維持期間が存在する。勿論、先に励起されたセルだけがライティングパルスを生成する。中立状態のセルでガス放電は生じない。
【００２６】  （３）セルの充電が抑えられる消去期間が存在する。
【００２７】  次に、セルフプライミング・サブフィールドを定義する。サブフィールドは、以下の（１）から（４）のうちの一つ以上の特性を備えている場合にセルフプライミング・サブフィールドと呼ばれる。
【００２８】  （１）低速アドレッシング
長い書込みパルスは、セル書込みの確率を増加する。アドレッシングのためにはより長い時間を要するが、この付加的な時間は、セルフプライミング・サブフィールドの個数が減少するために許容される。
【００２９】  （２）書込み用高電圧
書込み用高電圧は、セルフプライミング・サブフィールド用のセルに印加される。これは、特定のＰＤＰドライバ回路を必要とする。ドライバにおける電力消費変化は、セルフプライミング・サブフィールドの個数がサブフィールドの総数よりも少ないので許容される。
【００３０】  （３）二重書込みパルス
セルフプライミング・サブフィールドは２回に亘って書き込まれる。１回目の書込みサイクルはセルを予備励起し、２回目の書込みサイクルは書込み処理を完了する。ＰＤＰの行が書き込まれる順序は、たとえば、
１  ２  ３  ４  ．．．  ４７９  ４８０  １  ２  ３  ．．．  ４８０
である。
【００３１】  ２個の書込みパルスが、たとえば、以下の行書込みシーケンス
１  ＿  ２  １  ３  ２  ４  ３  ５  ４  ６  ５  ７  ６  ８  ７  ．．．
又は
１  ＿  ２  ＿  ３  １  ４  ２  ５  ３  ６  ４  ７  ５  ８  ６  ．．．
を用いることによって（２回目の書込みパルスは下線付きで示されている）、短期間に次々と各セルに印加される場合、別々の行書込みシーケンスを使用する方が有利である。
【００３２】  行ドライバは、通常、連鎖状に接続され、１パネル行について、最大で４８０セルまでの大型のシフトレジスタを形成する。このレジスタを左右にシフトすることにより、パネル行は、上述の順序で簡単にアドレッシングされ得る。
【００３３】  （４）ソフトプライミングパルス
セルフプライミング・サブフィールドは、ソフトプライミングパルスを含む。ハードプライミングの場合、全セルに並行して印加されるプライミングパルスが急峻なエッジと高エネルギーを備えた矩形状であるのに対して、ソフトプライミングの場合、文献では、たとえば、三角形状と低下したエネルギーを備えた別形式のプライミングパルスはソフトプライミングと呼ばれる。このようなソフトプライミングパルスは、サブフィールドよりも先行したセルに適用される。ソフトプライミングをフレーム期間の始まりのサブフィールドだけに制限することにより、或いは、最初のサブフィールドだけに制限することにより、バックグラウンド輝度を低下させ得る。しかし、この技術は、好ましくは、避けるべきである。なぜならば、既に説明した通り、全てのプライミングパルスがコントラストを劣化させるからである。その結果として、セルフプライミング・サブフィールドは、他のサブフィールドとは別の方法でアドレッシングされる。
【００３４】  セルフプライミング・サブフィールドの考え方が特定のサブフィールド符号化処理を暗黙的に含むことは、既に説明した通りである。次に、この原理を説明する。
【００３５】  セルフプライミング・サブフィールドは、黒以外であるべき全てのセルが少なくとも１個のセルフプライミング・サブフィールドによって励起された場合に、そのプライミング機能を実行する。したがって、セルフプライミング符号は、符号０（黒）を除くその他の全ての符号が、少なくとも１個の駆動されたセルフプライム・サブフィールドをもつことを特徴とする。殆どの有用な実施形態は、フレーム期間中に１個若しくは２個のセルフプライミング・サブフィールドを含む。
【００３６】  次に、１フレーム期間について８個のサブフィールドの中に１個のセルフプライミング・サブフィールドを含む例を説明する。説明を簡単にするため、８個のサブフィールドを用いて３２個の離散レベルだけを符号化する場合を考える。
【００３７】  サブフィールド構造は、
１−１−３−４−４−８−８
であり、第１のサブフィールドがセルフプライミング・サブフィールドである。
【００３８】  ３２レベルは以下の符号語が割り当てられる。
【００３９】
【表１】
0005675030.tif 000002
必要に応じて、第１のサブフィールドは、符号０を除く全ての符号に対して常に作動される。
【００４０】  次に、２個のセルフプライミング・サブフィールドの例を説明する。サブフィールド構造は、６個のサブフィールドと３３個の離散レベルである。
１−２−３−５−８−１３
３３レベルは以下の符号語が割り当てられる。
【００４１】
【表２】
0005675030.tif 000003
必要に応じて、２個の第１のサブフィールドのうちの一方が、符号０を除く他の全ての符号に対して常に作動される。
【００４２】  続いて、用語リフレッシュ・サブフィールドを説明する。サブフィールドは、以下の（１）から（２）のうちの一つ以上の特性を備えている場合にリフレッシュ・サブフィールドと呼ばれる。
【００４３】  （１）高速アドレッシング
セルを中立状態若しくは励起状態のいずれかの状態へ移すために、より短い書込みパルスが使用される。セルは、次のサブフィールドに対する書込み動作を改善するセルフプライミング・サブフィールドにおいて先に書き込まれているので、より短いパルスを使用することができる。セルは、前にどのように取り扱われたかを記憶しているようにみえる。
【００４４】  （２）書込み用低電圧
書込み用低電圧は、リフレッシュ・サブフィールドをアドレッシングするため使用される。
【００４５】  上述の通り、リフレッシュ・サブフィールドの考え方は、特定のサブフィールド符号化処理を暗黙的に意味する。この原理について説明する。
【００４６】  リフレッシュ符号の場合、以下の規則が存在する。すなわち、サブフィールド符号は、全ての入力値に対して、符号語における２個の駆動されたサブフィールド間に２個以上の駆動されていないサブフィールドが存在し得ないならば、リフレッシュ符号と呼ばれる。
【００４７】  サブフィールド構造中の下線付きのサブフィールド重みの系列がフィボナッチ級数、すなわち、
１−２−３−５−８−１３−２１−３４−５５−５９
よりも低速で成長するならば、符号は、常に、リフレッシュ特性を用いて設計することができる。
【００４８】  換言すると、サブフィールド構造内の所与のサブフィールドの重みは、先行の２個のサブフィールド重みの合計よりも決して大きくならない。この特性を備えた符号は、フィボナッチサブフィールド符号と称される。上述の両方のセルフプライミング符号テーブルは、どちらもフィボナッチ符号テーブルであり、実際、２個の１の間に、２個以上の０が連続して現れることがない。
【００４９】  注意すべきことは、フィボナッチ符号以外のリフレッシュ符号も存在する、という点である。しかし、それらの符号は、最下位重みの周りで使用されるサブフィールドを集約しないので、ＰＤＰアプリケーションでは、興味の無い符号である。このような符号の一例として、５個のサブフィールドと、重み１−２−２−２−５を備えた符号を考える。この例では、値８は、１０１０１として符号化されるべきであり、有効なリフレッシュ符号ではない１１００１のように符号化されるべきではない。あらゆる実用上の目的から、リフレッシュ符号はフィボナッチ符号であり、全てのフィボナッチ符号がリフレッシュ符号である。
【００５０】  上述の原理を、２５６通りの輝度レベルを符号化することができる実施例に関して説明する。実際の実現形態における値、特に、使用されるサブフィールドの個数と重みは、本例で示されている値とは異なっていても構わないことに注意する必要がある。これらの実施例は、本発明の更なる例である。
【００５１】  最初に、本発明の原理が適用されない現実的な比較用の例（第１例）を説明する。
【００５２】  この比較用の例の場合、サブフィールド構造は、１２個のサブフィールドを備える。サブフィールドの重みは、
１−２−４−８−１６−３２−３２−３２−３２−３２−３２−３２
である。２５６通りのビデオレベルが、テレビ／ビデオ技術における要求に応じて、このサブフィールド構造を用いて生成される。図１は、フレーム期間と、フレーム期間のサブフィールドへの分割の説明図である．各サブフィールドは、図１の下部に示されるように、消去段階と、スキャン段階と、維持段階と、を含む。また、ハードプライミング期間の前に消去期間が存在する。図１では、ハードプライミング期間に属する消去期間は、作図の便宜だけのために、最後のサブフィールドの終わりに描かれている。サブフィールド重みは、サブフィールドの上に数字で示されている。第１のサブフィールドよりも前に、ハードプライミング期間が市松模様で示されている。ハードプライミング期間は、上述のようにセルの予備励起のため、従来のＰＤＰ制御実施形態で使用される。このハードプライミング期間中には、勿論、維持期間は現れない。これは、ハードプライミング期間がサブフィールドではない点についての一つの理由である。別の理由は、このハードプライミング期間では、全てのセルが並行してアドレッシングされることである。これに対し、サブフィールド期間中、セルは行単位でアドレッシングされる。
【００５３】  フレーム期間は、サブフィールド期間の全体とハードプライミング期間を併せた期間よりも多少長めに描画されている。なぜならば、非標準的なビデオソースの場合、ビデオラインは、ジッタの影響を受け、また、サブフィールド期間の全体とハードプライミング期間がジッタを生じるビデオラインに収まることを保証するために、ハードプライミング期間と全サブフィールド期間の総時間が標準的なビデオラインよりも僅かに短くされるからである。
【００５４】  図１の例のサブフィールド構造にはセルフプライミング・サブフィールドが存在しない（すなわち、全てのサブフィールドは同じ方法でアドレッシングされる）。レベル３２に対する最良符号は、０００００１００００００であり、最初の５個のサブフィールドは、全て零にセットしなければならない。本例の場合に、プライミングの目的のためサブフィールドを使用しようとする場合、セル書込みが全ての非零符号語に対して行われることを保証するため、６個のセルフプライミング・サブフィールドを使用する必要がある。しかし、これは、実際的ではない（６個のセルフプライミング・サブフィールドのアドレッシングには非常に余分な時間を要する）。さらに、この符号は、リフレッシュ符号ではない。ハードプライミング後に、作動されていないサブフィールドが最大で５個まで存在する。
【００５５】  次の例（第２例）では、本発明によるサブフィールド構造を説明する。この例でも、１２個のサブフィールドが使用され、サブフィールド重みは前の例とは異なる。また、２５６通りのビデオレベルがこのサブフィールド構造を用いて処理できる。重みは、
１−２−３−５−８−１２−１６−１６−３２−３２−６４−６４
である。
【００５６】  図２は、このサブフィールド構造によるサブフィールド内のフレーム期間の分割の説明図である。最初の２個のサブフィールドＳＰＳＦは、セルフプライミング・サブフィールドであり、最後の１０個のサブフィールドＲＳＦは、リフレッシュ・サブフィールドである。本例の場合も、サブフィールド期間よりも前にプライミング期間が存在する。注意すべき点は、このソフトプライミング期間が図１の例のハードプライミング期間よりも短い、ということである。現時点の調査では、本プラズマ技術の場合、このソフトプライミング期間は、セル内における高信頼性プラズマ発生のために必要である。将来、高性能プラズマ技術が開発された場合、このソフトプライミング期間は必要ではなくなり、対応した時間は、他の目的のために、たとえば、別のサブフィールドをサブフィールド構造に付け加え、或いは、サブフィールドの維持期間を延長するなどのような目的のために利用できるようになるであろう。選択されたサブフィールド重みの場合、フィボナッチ符号を使用することが可能である（所与のサブフィールドは、先行の２個のサブフィールドの合計よりも決して大きくならない）。全ての符号に対し、２個の駆動されたサブフィールドの間に、二つ以上の作動されていないサブフィールドは存在しないことが保証される。２個のセルフプライミング・サブフィールドＳＰＳＦは、より長いアドレッシング段階（スキャン時間）を伴う。本例の場合、セルフプライミング・サブフィールドＳＰＳＦのアドレッシング段階は、残りの１０個のリフレッシュ・サブフィールドＲＳＦのうちの一つのアドレッシング段階の長さの約２倍の長さである。
【００５７】  本発明による別のサブフィールド構造の例（第３例）は、サブフィールド重みの系列：
１−２−３−５−８−１２−１７−２３−３０−３９−５０−６５
によって表わされる。
【００５８】  このサブフィールド構造の場合、最初の２個のサブフィールドはセルフプライミングフィールドであり、残りのサブフィールドはリフレッシュ・サブフィールドである。また、このサブフィールド構造は、所与のサブフィールド重みが先行の２個のサブフィールド重みの和よりも大きくならない、という規則に従う。本例の本発明によるサブフィールド構造は、偽輪郭効果補償に関してよりよく最適化される。
【００５９】  第２例及び第３例の場合、セルフプラインミング・サブフィールド及びリフレッシュ・サブフィールドを使用することにより、ハードプライミングパルスは不要であり、最後の１０個のサブフィールドのアドレッシングパルスは、第１例よりも短くすることが可能である。実用上の実施形態では、このリフレッシュ・サブフィールドのアドレッシング時間の短縮は、図１及び図２に示されている状況よりもさらに大きくなる可能性がある。たとえ、セルフプライミング・サブフィールドがより多くのアドレッシング時間を要するとしても、２番目の例では、維持パルスのために利用できる総時間は増加する。
【００６０】  図３には、本発明によるサブフィールド構造の更なる例（第４例）が示されている。本例は、ＰＡＬ、ＳＥＣＡＭのようなテレビ標準に準拠したテレビ信号が入力されるとき、５０Ｈｚディスプレイモードのため最適化されている。ラージエリア・フリッカー効果は、５０Ｈｚテレビ標準の場合には、最も妨害性の影響を与える。なぜならば、この影響を補償するためテレビ受像機に１００Ｈｚのアップコンバーターが普及しているからである。プラズマディスプレイの動作原理は、アドレッシング期間、維持期間及び消去期間を用いてサブフィールドに小さい光パルスを発生させることに基づいている。これにより、ラージエリア効果を補償するためサブフィールド構造及びサブフィールド符号化を特に適応させることが可能である。本願と同一出願人による欧州特許出願第９８１１５６０７．８−２２０５号には、そのため解決法が提案されている。この出願の公開番号は、ＥＰ−Ａ−０９８２７０７である。この適応性を支える原理は、２組のサブフィールドのグループは、ある程度の時間によって相互に分離され、サブフィールドは、サブフィールド重みが２組のグループの間でできる限り均等に分布するように、これらのグループ全体に配分される、という原理である。フレーム期間は、５０Ｈｚテレビ標準では２０ｍｓ持続する。この適応性の効果は、サブフィールドのグループが、１００Ｈｚアップコンバージョンに対応した１０ｍｓのラスターに出現することである。ラージエリア・フリッカー効果は、この適応性を用いて非常に簡単に補償される。この適応性の詳細については、上述の欧州特許出願に開示されている。
【００６１】  図３は、ラージエリア・フリッカーの抑制の概念と、セルフプライミング・サブフィールド及びリフレッシュ・サブフィールドの概念とが組み合わされているサブフィールド構造の一例を示す図である。１４個のサブフィールドを含むサブフィールド構造の一例は、
１−４−８−１２−２０−３２−５２    ２−４−８−１２−２０−３２−４８
のように表わされる。
【００６２】  フレーム期間は２０ｍｓである。ここで、５０Ｈｚテレビ標準におけるフレーム期間は、インタレース（飛び越し走査）のために４０ｍｓであり、フィールドは２０ｍｓラスターだけで出現することに注意する必要がある。しかし、プラズマディスプレイは、プログレッシブ（順次走査）モードでも動作するので、飛び越しから順次への変換後にフレームは２０ｍｓラスターで発生する。
【００６３】  上述の例と同じように、ビデオ信号は、８ビット語でデジタル化され、２５６通りのビデオレベルが存在する場合を考える。サブフィールドは、１００Ｈｚラスターの範囲内で当てはまる２組のグループに分割される。両方のグループに対し、セルフプライミング・サブフィールド及びリフレッシュ・サブフィールドが設けられる。サブフィールド符号化は、５０Ｈｚ成分を最小限に抑えるように選択される。すなわち、１画素に対して、サブフィールド重みは、２組のグループの間でできる限り均等に分配される。符号化のためには、重みは、最下位サブフィールドの周辺に集中されるべきである。たとえば、ビデオレベル１７を符号化すべき場合、エンコーダは、符号語  １０００００００００１０００％ではなく、符号語  １０１００００００１００００％を出力するであろう。ここで、重み１及び１６の代わりに、重み１，８，８が使用される。
【００６４】  １番目のグループの最後のサブフィールドと２番目のゲループの先頭のサブフィールドの間のギャップは、非常に意味がある。このため、２個のソフトプライミングパルスが使用され、各サブフィールドグループの先頭に１個ずつ設けられる。７５Ｈｚの場合と比較して、１００Ｈｚの例では、最初の３個のサブフィールドは、セルフプライミング・サブフィールドである。なぜならば、一方若しくは両方のグループの最初の２個のサブフィールドがオフ状態であるビデオレベル、たとえば、ビデオレベル２８に対する）符号が存在するからである。各サブフィールドグループ内の最後の４個のサブフィールドは、リフレッシュ・サブフィールドであり、高速アドレッシングが可能である。
【００６５】  サブフィールド重みが先行の２個のサブフィールドのサブフィールド重みの合計を超えてはならない、という規則は、図３に示されたサブフィールド構造の場合には満たされない。しかし、この規則は、１番目のグループの３番目のサブフィールドだけで破られているので、画質が著しく影響を受けることは無い。
【００６６】  図４には、本発明の回路実施例が示されている。制御ユニット１０は、サブフィールド符号化ユニット１１内の符号表をアドレッシングすることにより、所定のＲ、Ｇ、Ｂビデオレベルへのセルフプライミング及びリフレッシュのための適切なフィボナッチ符号を選択する。制御ユニット１０は、メモリ１３に対する書込みと読出しを制御する。さらに、制御ユニット１０は、不均一（セルフプライミングとリフレッシュを含む）サブフィールド構造によって必要とされる全てのスキャンパルス及び維持パルスと、ソフトプライミングパルスと、を発生する。ソフトプライミングパルスは、全てのセルへ並行して印加される。制御ユニット１０は、基準タイミング用の水平同期信号及び垂直同期信号を受け取る。また、プラズマセルをアドレッシングするシリアル・パラレル変換処理も制御ユニット１０によって制御される。セルフプライミング・サブフィールドに使用されるスキャン速度は、リフレッシュ・サブフィールドに対するスキャン速度よりも低速であることに注意する必要がある。
【図面の簡単な説明】
【図１】  本発明の考え方を用いていないサブフィールド構造の一例の説明図である。
【図２】  本発明によるサブフィールド構造の第１実施例の説明図である。
【図３】  本発明によるサブフィールド構造の第２実施例の説明図である。
【図４】  ＰＤＰにおける本発明の回路実施例のブロック図である。
【図１】
0005675030.tif 000004
【図２】
0005675030.tif 000005
【図３】
0005675030.tif 000006
【図４】
0005675030.tif 000007